(57)【要約】      （修正有）【課題】長靴内部の爪先先端まで簡単かつ確実に十分な洗浄、殺菌の処理が行えると共にそれらの処理が行われたものを一括して行える長靴のリサイクル保管装置を提供する。【解決手段】保管庫１内に複数の使用後の長靴３を長靴保持体２に被せて保持させ、長靴保持体２に設けられたノズルより洗浄水を噴射して長靴３内を洗浄し、次いで熱風噴出手段５により長靴３の内外を乾燥させ、更に殺菌手段６により長靴３を殺菌した状態でそのままその保管庫１で保管するようにしたことにより、使用済みの長靴の洗浄、殺菌、乾燥処理並びにその後の保管まで一貫して保管庫１で行えるようにしたものである。【選択図】図６
0003219127.tif 000002
【実用新案登録請求の範囲】
【請求項１】
保管庫１内に複数の使用後の長靴３を長靴保持体２に被せて保持させて洗浄、殺菌後、乾燥させて保管するようにしたものであって、長靴保持体２に設けられたノズル４より洗浄水を噴射して長靴３内を洗浄し、次いで熱風噴出手段５により長靴３の内外を乾燥させ、更に殺菌手段６により長靴３を殺菌した状態でそのままその保管庫１で保管するようにした長靴のリサイクル保管装置。
【請求項２】
保管庫１内に、先端が屈曲した長靴保持体２に長靴３を被せて保持させ、屈曲した長靴保持体２に多数のノズル４を設け、複数の長靴３、３・・・を保管庫１に靴底が靴の開口部よりも上位地になるように保持させるようにした請求項１に記載の長靴のリサイクル保管装置。
【請求項３】
Ｌ字状に湾曲した溝を有する１対の板金１２，１２の周縁部を接合して長靴保持体２を形成した請求項１又は２に記載の長靴のリサイクル保管装置。
【考案の詳細な説明】
【技術分野】
【０００１】
本考案は、厨房等で多量に使用されている作業用の長靴で使用後のものを誰でも安心して使用できるようにリサイクルさせる長靴のリサイクル保管装置に関するものである。
【背景技術】
【０００２】
例えば厨房や病院等で水を扱う現場では長靴を使用することが多いが、一般的には作業者毎に作業着等と同様、長靴も各人毎に個別に宛がわれることが多い。しかしながら、作業者の入れ替わりが多い現場では、そのようなことをしていると、使用されなくなった長靴が余ってしまい、経済的ではないものの、各人が、そのまま他人が使用していた長靴を使い回しするのは衛生上、好ましいとは言えない。
【０００３】
そのような状況に対処するために、使用後の長靴を洗浄、殺菌するようにしたものが知られている（特許文献１、２参照）。
【０００４】
例えば特開平０５−１９２２９１号公報（特許文献１）、特開２００２−１７２１５２号公報（特許文献２）にあっては、何れも直管状の靴支持体に長靴を差し込み、靴支持体の先端のノズルより洗浄剤や水、水蒸気等を長靴内に噴射するようにしていたので、長靴の爪先先端まで十分に洗浄等の処理がし辛い欠点があった。
【０００５】
そしてそのように洗浄、殺菌処理をしたものは、別途保管庫で保管するようにしていたのである。
【０００６】
【特許文献１】特開平０５−１９２２９１号公報
【特許文献２】特開２００２−１７２１５２号公報
【考案の開示】
【考案が解決しようとする課題】
【０００７】
本考案は、使用済みの汚れた長靴の洗浄、殺菌、乾燥に加えてその処理後の長靴を使用まで一貫して保管できるようにすると共に、更には、長靴内部の爪先先端まで簡単かつ確実に十分な洗浄、殺菌灯の処理が行える長靴のリサイクル保管装置を提供しようとするものである。
【課題を解決するための手段】
【０００８】
本考案の第１の特徴は、保管庫１内に複数の使用後の長靴３を長靴保持体２に被せて保持させて洗浄、殺菌後、乾燥させて保管するようにしたものであって、長靴保持体２に設けられたノズル４より洗浄水を噴射して長靴３内を洗浄し、次いで熱風噴出手段５により長靴３の内外を乾燥させ、更に殺菌手段６により長靴３を殺菌した状態でそのままその保管庫１で保管するようにしたことであり、第２には、保管庫１内に、先端が屈曲した長靴保持体２に長靴３を被せて保持させ、屈曲した長靴保持体２の先端にノズル４を設け、複数の長靴３、３・・・を保管庫１に靴底が靴の開口部よりも上位地になるように保持させるようにしたことであり、第３には、それに加え、Ｌ字状に湾曲した溝を有する１対の板金１２，１２の周縁部を接合して長靴保持体２を形成したことである。
【考案の効果】
【０００９】
本考案では、保管庫１内に複数の使用後の長靴３を長靴保持体２に被せて保持させて洗浄、殺菌後、乾燥させて保管するようにしたものであって、長靴保持体２に設けられたノズル４より洗浄水を噴射して長靴３内を洗浄し、次いで熱風噴出手段５により長靴３の内外を乾燥させ、更に殺菌手段６により長靴３を殺菌した状態でそのままその保管庫１で保管するようにしたことにより、使用済みの汚れた長靴の洗浄、殺菌、乾燥並びにその後の使用までの保管を一括して保管庫1で行えるようにしたものであり、更には、ノズル４が多数施された長靴保持体２の先端を屈曲したことにより、長靴３の向きを安定して長靴保持体２に保持させることができると共に、長靴保持体２に多数施されたノズル４により長靴３の爪先内部まで洗浄、乾燥等の処理を簡単かつ確実に行えるようにしようとするものである。
【００１０】
また洗浄、乾燥、殺菌等も長靴保持体２に施された多数のノズル４により切り替えてコンパクトに行うこともできる。
【００１１】
そして、これにより、従来は無駄に捨てられていた現在非使用状態の退職者が使用していた長靴も清潔な状態に再生し、保管して廻すことにより、厨房等でのランニングコストの一部を軽減させることに寄与できる。また一括して保守管理することにより省スペース化、コスト低減を図れたものである。
【００１２】
また、長靴保持体２をＬ字状に湾曲した溝を有する１対の板金１２，１２の周縁部を接合して形成する場合は、屈曲した長靴保持体２を簡単に作成できると共に、接合した周縁部が、洗浄水等が通過する導通部より外方に張り出して長靴の内部を安定した状態で保持して洗浄、乾燥、殺菌等が行えるようになる。
【考案を実施するための最良の形態】
【００１３】
以下、本考案を、実施例、比較例を用いて具体的に説明する。図１は装置の全体を示すもので、複数の長靴３を収容する保管庫１と、それに隣接設置された操作ボックス１０であり、保管庫１は全面の扉１１が開閉自在であって、内部に長靴３の保持手段である長靴保持体２に多数のノズル４が施されたものである。
【００１４】
そしてこの長靴保持体２は根本よりやや斜めに上向し、先端が屈曲した形状に形成され、長靴保持体２に長靴３を斜め下向きに保持させるが、その場合、長靴保持体２の折曲先端が長靴３の内部爪先に向かうことになる。
【００１５】
長靴保持体２は斜め上向して設置されたもので、更にその先端はＬ型に屈曲される。屈曲方向は下向きでも良いが、（斜め）上向きが好ましい。
【００１６】
長靴保持体２には多数のノズル４が設けられ、主バルブ２２、個別２３バルブを介して洗浄水、洗剤、消毒液、乾燥用空気等を高圧で長靴３内部に供給できるようにしている。
【００１７】
長靴保持体２は管体を用いることも可能であるが、図示例では２枚の板金１２、１２の一部を溝所に膨出させ、縁部を溶接して形成したもので、先端部を塞ぎ、末端は配管端部との接続部２Ｄとしている。
【００１８】
このような多数のノズル４，４・・・が施された長靴保持体２は通常１対で一足分とするものであり、主配管２０、支管２１に接続され、適宜主バルブ２２、個別バルブ２３が施される。
【００１９】
この長靴保持体２は、略Ｌ字状の一対の金属板２Ａ、２Ｂの略Ｌ字状の２辺と先端を溶接し、溶接された２辺の間を膨らませて配管としての通路２Ｃを形成したもので、通路２Ｃを形成する筒壁に多数のノズル４、４・・・を穿孔し、更に後端は個別バルブ２３からの配管２１との接続部２Ｄで接続される。溶接された帯状部２Ｅは長靴３を保持させる時に長靴３の内周にその先端が当接するが、そのことによりノズル４と長靴３の内周との間に適度の隙間を確保し、均等に水、液剤、蒸気、空気等を長靴３の内周に供給できることになる。
【００２０】
長靴保持体２は接続部２Ｄにより配管２１に連結され、バルブ１３の開閉により配管２１を通じて主バルブ２２、個別バルブ２３の切り替え、開閉により、洗浄水、湯、蒸気、洗剤、消毒薬剤、乾燥用空気等をプログラムの設定に応じて長靴保持体２に供給し、長靴保持体２に被せて保持させた長靴３、３・・・の内部を自動的に処理することができる。
【００２１】
尚、長靴保持体２に被せて保持させた長靴３の外面は保管庫１の上部に配置されるシャワーより洗浄水等を供給して洗浄することができる。
【００２２】
図６は長靴３洗浄処理の流れの１例を示すもので、外側が予備洗浄された長靴３を長靴保持体２に填め、例えば主バルブ２２、個別バルブ２３を洗浄水に併せて供給して長靴３の内部を予備水洗し、次いで洗剤を含む洗浄水に切り替えてノズルより内部に所定時間噴霧して洗浄した後、再度洗浄水に切り替えて洗剤を洗い落とし、更に乾燥空気を吹き付けて乾燥させるものである。更に必要に応じて保管庫に設置された殺菌灯により、殺菌消毒を行うこともできる。これらの作業は適宜コンピュータ制御で行え、また営業終了路、深夜にタイマーで行うことができる。
【００２３】
また、長靴保持体２のノズル４の上記諸作業を個別選択的に行えるようにすることもでき、その場合は、空いた長靴保持体２に新たに未処理の汚れた長靴３を被せて保持させ、その長靴３のみを追加で洗浄、消毒、乾燥を行った後、他の長靴３と共に次の使用まで保管することになる。
【産業上の利用可能性】
【００２４】
本考案の装置は、病院、厨房等、水回りの職場では長靴が使用される環境下で、使用後、或いは使用されていない状態の汚れた長靴３を一括して洗浄、消毒、乾燥等を行い、常に清浄な状態で再使用に供せるように保管まで単一の装置で一貫して行えるものであって、従来は廃棄されていた退職者の長靴もコンパクトなスペースで処理、保管し、有効活用できるものである。
【図面の簡単な説明】
【００２５】
【図１】本考案の一実施例の概略正面。
【図２】同上の扉を外した状態の概略正面。
【図３】同上の概略縦断面図。
【図４】同上の長靴保持体の概略拡大斜視図。
【図５】同上の長靴保持体と配管の接続部分の分解斜視図。
【図６】同上のフローシート。
【００２６】
図中１は保管庫、２は長靴保持体、３は長靴、４はノズル、5は熱風噴出手段、６は殺菌手段、１２は板金である。
【図１】
0003219127.tif 000003
【図２】
0003219127.tif 000004
【図３】
0003219127.tif 000005
【図４】
0003219127.tif 000006
【図５】
0003219127.tif 000007
【図６】
0003219127.tif 000008